(57)【特許請求の範囲】
【請求項１】
車両のインストルメントパネルにおけるフロントガラスとの対向壁に設けられ且つ透明カバーで塞がれた開口、又は当該対向壁に嵌め込まれたベゼル部材に設けられ且つ透明カバーで塞がれた開口、を通じて前記フロントガラスに画像を投影する画像投影機であって、
前記開口と重ねて配置される投影口が形成された箱状のケースと、
前記投影口を内側から塞ぐように前記ケース内に配置された組付け前保護シートと、を有し、
前記ケースには、前記組付け前保護シートの一部が延出された引抜き口が形成され、
前記組付け前保護シートが、前記引抜き口から延出された延出部分を引っ張ることにより当該引抜き口から引き抜き可能に設けられている
ことを特徴とする画像投影機。
【請求項２】
前記引抜き口には、前記組付け前保護シートが引き抜かれた後の前記引抜き口からの異物の侵入を抑制する防塵部材が設けられていることを特徴とする請求項１に記載の画像投影機。
【請求項３】
前記引抜き口が、前記組付け前保護シートの幅方向に延在するスリット状に形成され、
前記防塵部材が、前記組付け前保護シートを幅方向全体にわたって厚み方向に挟むように前記引抜き口に植毛されたブラシからなることを特徴とする請求項２に記載の画像投影機。
【請求項４】
前記引抜き口が、前記組付け前保護シートの幅方向に延在するスリット状に形成され、
前記防塵部材が、前記組付け前保護シートを幅方向全体にわたって厚み方向に挟むように前記引抜き口に互いに対向して突出して設けられた、柔軟性を有する一対の凸条リップからなることを特徴とする請求項２に記載の画像投影機。
【請求項５】
前記引抜き口が、水平方向に向いて開口しており、
前記防塵部材が、柔軟シート材で形成されており、一端縁が前記引抜き口の上縁乃至その近傍に固定されるとともに他端縁が自由端とされ、前記一端縁から前記他端縁までの長さが少なくとも前記引抜き口の上下方向の幅よりも長い防塵シートからなることを特徴とする請求項２に記載の画像投影機。
【請求項６】
車両のインストルメントパネル内に配置された画像投影機を有する車両用表示装置であって、
前記画像投影機が、請求項１〜５のうちいずれか一項に記載の画像投影機であることを特徴とする車両用表示装置。
【請求項７】
車両のインストルメントパネルにおけるフロントガラスとの対向壁に嵌め込まれたベゼル部材に設けられ且つ透明カバーで塞がれた開口を通じて前記フロントガラスに画像を投影する画像投影機を、前記ベゼル部材に組み付ける組付け方法であって、
前記画像投影機が、請求項１〜５のうちいずれか一項に記載の画像投影機であり、
前記画像投影機を、前記透明カバーで前記開口が塞がれた前記ベゼル部材によって前記投影口が塞がれるとともに該投影口が前記開口に重なるように前記インストルメントパネル内に配置する配置過程と、
前記配置過程の後、前記延出部分を引っ張ることにより前記引抜き口から前記組付け前保護シートを引き抜く引抜き過程と、
を有することを特徴とする組付け方法。
【請求項８】
車両のインストルメントパネルにおけるフロントガラスとの対向壁に設けられ且つ透明カバーで塞がれた開口を通じて前記フロントガラスに画像を投影する画像投影機を、前記インストルメントパネルに組み付ける組付け方法であって、
前記画像投影機が、請求項１〜５のうちいずれか一項に記載の画像投影機であり、
前記画像投影機を、前記透明カバーで前記開口が塞がれた前記インストルメントパネルによって前記投影口が塞がれるとともに該投影口が前記開口に重なるように前記インストルメントパネル内に配置する配置過程と、
前記配置過程の後、前記延出部分を引っ張ることにより前記引抜き口から前記組付け前保護シートを引き抜く引抜き過程と、
を有することを特徴とする組付け方法。
【発明の詳細な説明】
【技術分野】
【０００１】
本発明は、車両のフロントガラスに対して投影を行う画像投影機、画像投影機を有する車両用表示装置、及び画像投影機の組付け方法に関する。
【背景技術】
【０００２】
従来、車両のフロントガラスへの画像の投影を行うヘッドアップディスプレイ装置としての車両用表示装置がインストルメントパネル内に設けられている（例えば、特許文献１参照）。特許文献１に記載された車両用表示装置７００は、図１４に示すように、フロントガラスＦとの対向壁Ａに開口Ｈが設けられたインストルメントパネルＩ内に取り付けられ、この開口Ｈを通じてフロントガラスＦに画像を投影するものである。そして、車両用表示装置７００では、不図示のケースにこの開口Ｈと重なるように画像の投影口が設けられている。このような車両用表示装置７００においては、例えば、画像の投影口からケース内に埃や水分等が入ることを防止するために投影口を塞ぐ透明なカバーＣが設けられることがあるところ、太陽光等の外光がカバーＣに反射されて搭乗者のアイポイントＥＰに直接向かうことがあり、不快感を与えてしまうことがあった。
【０００３】
そこで、外光が搭乗者のアイポイントＥＰに向かうこと回避する構成として、図１５に示す車両用表示装置８００が考えられる。この車両用表示装置８００は、インストルメントパネルＩ内に設けられている。このインストルメントパネルＩは、フロントガラスＦとの対向壁Ａに、車両の前方側から後方側（図１５において左方から右方）に向かうに従い徐々に下方に向かう下降壁部Ｗと、下降壁部Ｗの下端に隣接する開口Ｈと、が設けられている。車両用表示装置７００の投影口は、このような開口Ｈと重なるように、設けられている。そして、この投影口には、車両の前方側から後方側に向かうに従い徐々に上方に向かうカバーＣが設けられており、車両用表示装置８００は、この投影口から開口Ｈを通じてフロントガラスＦに画像を投影する。このような構成では、下降壁部Ｗが設けられるとともにカバーＣの車両前方側が後方側よりも下方に位置していることから、外光をカバーＣに届きにくくさせることができるとともに、カバーＣで反射された外光が搭乗者のアイポイントＥＰに直接向かうことを抑制することができる。
【先行技術文献】
【特許文献】
【０００４】
【特許文献１】特開２００７−１４８０９２号公報
【発明の概要】
【発明が解決しようとする課題】
【０００５】
上述した構成では、インストルメントパネルＩにおいて下降壁部Ｗにおける開口Ｈ近傍の箇所Ｗａに外光が当らないことから、当該箇所Ｗａが暗くなってカバーＣとの明暗差が大きくなり、これにより、フロントガラスＦへの映り込みが目立ってしまうことがある。そこで、下降壁部Ｗを光透過性材料で構成するとともに、下降壁部Ｗの内面に対向して板状の導光部材８０２を配置して、この導光部材８０２により外光を下降壁部Ｗの開口Ｈ近傍の箇所Ｗａまで導いて、内面側から下降壁部Ｗを照らす構成が考えられる。この構成によれば、明暗差が小さくなるように下降壁部Ｗを明るくしているので、フロントガラスＦへの映り込みを目立たなくでき、搭乗者に与える不快感を抑制することができる。
【０００６】
ところで、上記のカバーＣを車両用表示装置８００の投影口ではなくインストルメントパネルＩ側の開口Ｈに取り付けて、インストルメントパネルＩ側の外観向上等を図ることが考えられる。この場合でも、車両用表示装置８００の投影口が、カバーＣで塞がれた開口Ｈに重なるように配置されるため、この投影口にカバーＣが設けられていなくても、インストルメントパネルＩに組み付けられてしまえば車両用表示装置８００の防塵性が確保される。画像の投影光の透過性を考慮すると、車両用表示装置８００の投影口にはむしろカバー等が設けられていない方が好ましい。一方で、組付け前には投影口が塞がれていないと、車両用表示装置８００の防塵性が得られない。
【０００７】
そこで、本発明は、組付け前においても防塵性が確保された画像投影機、そのような画像投影機を有する車両用表示装置、及び、そのような画像投影機の組付け方法を提供することを目的とする。
【課題を解決するための手段】
【０００８】
請求項１に記載された発明は、上記目的を解決するために、車両のインストルメントパネルにおけるフロントガラスとの対向壁に設けられ且つ透明カバーで塞がれた開口、又は当該対向壁に嵌め込まれたベゼル部材に設けられ且つ透明カバーで塞がれた開口、を通じて前記フロントガラスに画像を投影する画像投影機であって、前記開口と重ねて配置される投影口が形成された箱状のケースと、前記投影口を内側から塞ぐように前記ケース内に配置された組付け前保護シートと、を有し、前記ケースには、前記組付け前保護シートの一部が延出された引抜き口が形成され、前記組付け前保護シートが、前記引抜き口から延出された延出部分を引っ張ることにより当該引抜き口から引き抜き可能に設けられている
ことを特徴とする画像投影機である。
【０００９】
請求項２に記載された発明は、請求項１に記載の発明において、前記引抜き口には、前記組付け前保護シートが引き抜かれた後の前記引抜き口からの異物の侵入を抑制する防塵部材が設けられていることを特徴とする。
【００１０】
請求項３に記載された発明は、請求項２に記載された発明において、前記引抜き口が、前記組付け前保護シートの幅方向に延在するスリット状に形成され、前記防塵部材が、前記組付け前保護シートを幅方向全体にわたって厚み方向に挟むように前記引抜き口に植毛されたブラシからなることを特徴とする。
【００１１】
請求項４に記載された発明は、請求項２に記載された発明において、前記引抜き口が、前記組付け前保護シートの幅方向に延在するスリット状に形成され、前記防塵部材が、前記組付け前保護シートを幅方向全体にわたって厚み方向に挟むように前記引抜き口に互いに対向して突出して設けられた、柔軟性を有する一対の凸条リップからなることを特徴とする。
【００１２】
請求項５に記載された発明は、請求項２に記載された発明において、前記引抜き口が、水平方向に向いて開口しており、前記防塵部材が、柔軟シート材で形成されており、前記引抜き口の上縁乃至その近傍に一端縁が固定されるとともに他端縁が自由端とされた防塵シートからなることを特徴とする。
【００１３】
請求項６に記載された発明は、上記目的を解決するために、車両のインストルメントパネル内に配置された画像投影機を有する車両用表示装置であって、前記画像投影機が、請求項１〜５のうちいずれか一項に記載の画像投影機であることを特徴とする車両用表示装置である。
【００１４】
請求項７に記載された発明は、上記目的を解決するために、車両のインストルメントパネルにおけるフロントガラスとの対向壁に嵌め込まれたベゼル部材に設けられ且つ透明カバーで塞がれた開口を通じて前記フロントガラスに画像を投影する画像投影機を、前記ベゼル部材に組み付ける組付け方法であって、前記画像投影機が、請求項１〜５のうちいずれか一項に記載の画像投影機であり、前記画像投影機を、前記透明カバーで前記開口が塞がれた前記ベゼル部材によって前記投影口が塞がれるとともに該投影口が前記開口に重なるように前記インストルメントパネル内に配置する配置過程と、前記配置過程の後、前記延出部分を引っ張ることにより前記引抜き口から前記組付け前保護シートを引き抜く引抜き過程と、を有することを特徴とする組付け方法である。
【００１５】
請求項８に記載された発明は、上記目的を解決するために、車両のインストルメントパネルにおけるフロントガラスとの対向壁に設けられ且つ透明カバーで塞がれた開口を通じて前記フロントガラスに画像を投影する画像投影機を、前記インストルメントパネルに組み付ける組付け方法であって、前記画像投影機が、請求項１〜５のうちいずれか一項に記載の画像投影機であり、前記画像投影機を、前記透明カバーで前記開口が塞がれた前記インストルメントパネルによって前記投影口が塞がれるとともに該投影口が前記開口に重なるように前記インストルメントパネル内に配置する配置過程と、前記配置過程の後、前記延出部分を引っ張ることにより前記引抜き口から前記組付け前保護シートを引き抜く引抜き過程と、を有することを特徴とする組付け方法である。
【発明の効果】
【００１６】
請求項１、６〜８に記載の発明によれば、画像投影機には、画像の投影口を内側から塞ぐ組付け前保護シートが内蔵されているので、組付け前においても画像投影機の防塵性が確保される。また、この組付け前保護シートは、その延出部分を引っ張ることにより当該引抜き口から引抜き可能となっているので、この組付け前保護シートを、組付け後に引き抜くことで投影口における投影光の透過性を低下させることもない。これにより、組付け前においても画像投影機の防塵性を確保することができる。
【００１７】
請求項２に記載の発明によれば、引抜き口には、組付け前保護シートが引き抜かれた後の引抜き口からの異物の侵入を抑制する防塵部材が設けられていることから、この引抜き口についても防塵性を確保することができる。
【００１８】
請求項３に記載の発明によれば、組付け前保護シートが引き抜かれた後には、スリット状の引抜き口がブラシによって塞がれて防塵性が確保される。また、ブラシは柔軟性を有していることから、組付け前保護シートの引抜きが妨げられることもない。即ち、このブラシによれば、組付け前保護シートの引抜き性及び防塵性を両立させることができる。
【００１９】
請求項４に記載の発明によれば、組付け前保護シートが引き抜かれた後には、スリット状の引抜き口が凸条リップによって塞がれて防塵性が確保される。また、凸条リップが柔軟性を有していることから、組付け前保護シートの引抜きが妨げられることもない。即ち、この凸条リップによって、組付け前保護シートの引抜き性及び防塵性を両立させることができる。
【００２０】
請求項５に記載の発明によれば、組付け前保護シートが引き抜かれた後には、防塵シートの自由端が垂れ下がることで引抜き口が塞がれて防塵性が確保される。また、柔軟シート材で形成され一端縁が自由端とされた防塵シートは柔軟性を有していることから、組付け前保護シートの引抜きが妨げられることもない。即ち、この防塵シートによって、組付け前保護シートの引抜き性及び防塵性を両立させることができる。
【図面の簡単な説明】
【００２１】
【図１】本発明の第１実施形態にかかる車両用表示装置がインストルメントパネルに組み付けられた様子を示す斜視図である。
【図２】図１の車両用表示装置を車両の前方方向から見た図である。
【図３】図１の車両用表示装置の断面図である。
【図４】図１の車両用表示装置の分解斜視図である。
【図５】図１の車両用表示装置のインストルメントパネルにおけるフロントガラスとの対向壁への組付けについて説明する図である。
【図６】図１の車両用表示装置によってフロントガラスに投影される画像を示す図である。
【図７】図１の車両用表示装置における組付け前保護シートの引抜き口を示す図である。
【図８】図１の車両用表示装置における組付け前保護シートの保持構造を示す図である。
【図９】図１の車両用表示装置における組付け前保護シートの引抜き口を塞ぐ防塵部材の一例を示す図である。
【図１０】図１の車両用表示装置における組付け前保護シートの引抜き口を塞ぐ防塵部材の別例を示す図である。
【図１１】図１の車両用表示装置における組付け前保護シートの引抜き口を塞ぐ防塵部材のさらなる別例を示す図である。
【図１２】本発明の第２実施形態にかかるインストルメントパネルを示す図である。
【図１３】図１２のインストルメントパネルの開口からフロントガラスに投影される投影画像を示す図である。
【図１４】従来の車両用表示装置を模式的に示す断面図である。
【図１５】従来の他の車両用表示装置を模式的に示す断面図である。
【発明を実施するための形態】
【００２２】
本発明の第１実施形態にかかる画像投影機、車両用表示装置、及び画像投影機の組付け方法を、図１〜図１１を参照して説明する。
【００２３】
図１は、本発明の第１実施形態にかかる車両用表示装置がインストルメントパネルに組み付けられた様子を示す斜視図である。図２は、図１の車両用表示装置を車両の前方方向から見た図である。図３は、図１の車両用表示装置の断面図である。図４は、図１の車両用表示装置の分解斜視図である。図５は、図１の車両用表示装置のインストルメントパネルにおけるフロントガラスとの対向壁への組付けについて説明する図である。図６は、図１の車両用表示装置によってフロントガラスに投影される画像を示す図である。図７は、図１の車両用表示装置における組付け前保護シートの引抜き口を示す図である。図８は、図１の車両用表示装置における組付け前保護シートの保持構造を示す図である。図９は、図１の車両用表示装置における組付け前保護シートの引抜き口を塞ぐ防塵部材の一例を示す図である。図１０は、図１の車両用表示装置における組付け前保護シートの引抜き口を塞ぐ防塵部材の別例を示す図である。図１１は、図１の車両用表示装置における組付け前保護シートの引抜き口を塞ぐ防塵部材のさらなる別例を示す図である。以下の説明において、「前後上下左右」は、車両Ｖの前後上下左右に対応する。
【００２４】
本実施形態の車両用表示装置１は、図１、図２に示すように、車両ＶのインストルメントパネルＩに取り付けられ、フロントガラスＦに対して画像の投影を行うヘッドアップディスプレイ装置として用いられるものである。
【００２５】
車両用表示装置１は、図３、図４に示すように、画像投影機１０と、ベゼル体１５と、を備えている。
【００２６】
画像投影機１０は、画像を投影するための表示源１１と、表示源１１からの画像を反射する反射部１２と、表示源１１及び反射部１２を収容する合成樹脂製のケースとしての筐体１３と、を有している。筐体１３は、上壁部１３ａ、上壁部１３ａに対向配置された下壁部１３ｂ、並びに、上壁部１３ａ及び下壁部１３ｂの周縁に連接された周壁部１３ｃを有している。上壁部１３ａには、後述するベゼル部材２０の開口２０ａと重ねて配置される投影口１３ｄが設けられている。画像投影機１０は、表示源１１により投影された画像を反射部１２で反射して投影口１３ｄを通じてフロントガラスＦに投影する。これにより、車両Ｖの乗員において、フロントガラスＦ上に表示された画像として視認される。
【００２７】
ベゼル体１５は、ベゼル部材２０と、導光部材３０と、支持部材４０と、採光窓部材５０と、透明カバー６０と、を有している。
【００２８】
ベゼル部材２０は、例えば、半透光性（光透過性）の合成樹脂製で、中央に開口２０ａを有する平面視環状でかつ外周縁から内周縁に向かうにしたがって徐々に下方に向かう形状を有している。換言すると、ベゼル部材２０は、上端面と下端面とがあいた中空の略四角錐台を上下反転したような形状に形成されている。ベゼル部材２０は、インストルメントパネルＩにおけるフロントガラスＦとの対向壁Ａに設けられた孔に嵌め込まれて配置される。つまり、ベゼル部材２０は、対向壁Ａに嵌め込まれて当該インストルメントパネルＩ内に配置された画像投影機１０がフロントガラスＦに画像を投影するための開口２０ａの周縁の全部を形成している。
【００２９】
ベゼル部材２０は、対向壁Ａに嵌め込まれたときに車両Ｖの前方側に配置される前方ベゼル部分２１を有している。この前方ベゼル部分２１は、車両Ｖの前方側の端部２１ａが対向壁Ａとの間に隙間Ｓをあけるように当該対向壁Ａから上方に浮き上がって配置される（対向壁Ａに対して上方に配置される）。また、前方ベゼル部分２１は、車両Ｖの前方側から後方側に向かうにしたがって徐々に下方に向かい開口２０ａに至る下降壁部２２を有している。
【００３０】
ベゼル部材２０は、対向壁Ａに嵌め込まれると、ベゼル部材２０の外周縁における前方側の一部分（即ち、前方ベゼル部分２１の車両Ｖの前方側の端部２１ａ）が対向壁Ａより上方に浮き上がって配置され（図２）、外周縁の当該一部分以外の他部分がベゼル部材２０の外面（上面）と対向壁Ａの外面とが滑らかに連なるように配置される（図１）。また、このとき、ベゼル部材２０の開口２０ａと画像投影機１０の投影口１３ｄとが上下方向に重なって配置される。また、ベゼル部材２０は、それとインストルメントパネルＩの対向壁ＡとのフロントガラスＦへの映り込みの差が目立たないようにするために、例えば、対向壁Ａと同様の見た目とする色合いの調整や表面加工などが行われている。
【００３１】
導光部材３０は、例えば、ガラスやアクリル、ポリカーボネートなどの合成樹脂等の透明度の高い材料を用いて、平面視略矩形板状（図４）に形成されており、前方ベゼル部分２１の内面に若干の間隔をあけて重ねて配置されている。導光部材３０は、前後方向の断面視（図３）において、前方側は厚く形成され、後方側は薄く形成され、厚く形成された部分と薄く形成された部分の間の部分は前方から後方に向かうに従って徐々に薄くなるように形成されている。具体的には、導光部材３０における下方を向く面は平面状に形成され、上方を向く下降壁部２２側の面は前後方向の中間部分において、前方から後方に向かうに従い徐々に下降する傾斜面が形成されている。
【００３２】
導光部材３０は、車両Ｖの前方側の端面である入光面３０ａに入った光を後方側の端部まで導いて下降壁部２２側の面から出光するように形成されている。即ち、導光部材３０は、入光面３０ａのある前方側の端部からその反対の後方側の端部に向かう導光方向に光を導く。これにより、光透過性の下降壁部２２に向けて光を導いて、下降壁部２２における開口２０ａ近傍の箇所を照らすことができる。
【００３３】
支持部材４０は、合成樹脂製の載置部４１と一対の脚部４２とを有している。
【００３４】
載置部４１は、導光部材３０が載置される部分であって、平面視形状が導光部材３０の平面視形状より一回り大きい略板状に形成されている。載置部４１は、前方ベゼル部分２１の内面と間隔をあけて配置されており、車両Ｖの前方側の端部４１ａが前方ベゼル部分２１の端部２１ａと概ね上下方向に間隔をあけて並ぶように配置されるとともに、左右方向に対向する両端部がベゼル部材２０の内面と接して配置されている。これにより、載置部４１は、前方ベゼル部分２１との間に導光部材３０を収容する収容空間Ｋを形成している。この収容空間Ｋは上記隙間Ｓに向けて開口している。この収容空間Ｋ内において、導光部材３０は、入光面３０ａが収容空間Ｋの開口を通じて上記隙間Ｓを向くように配置されている。
【００３５】
一対の脚部４２は、載置部４１と画像投影機１０の筐体１３とを連結する部分であって、筐体１３の周壁部１３ｃの前面の左右方向両端から前方かつ上方に向けてそれぞれ延設されている（図４）。脚部４２の基端は、筐体１３に一体に固定されており、先端には載置部４１の下面に設けられた固定部４１ｂが固定されている。
【００３６】
採光窓部材５０は、例えば、ガラスやアクリル、ポリカーボネートなどの合成樹脂等の透明度の高い材料を用いて形成されている。採光窓部材５０は、収容空間Ｋの開口を密封するとともに上記隙間Ｓからの光を収容空間Ｋ内に採り入れるように設けられている。
【００３７】
透明カバー６０は、例えば、ガラスやアクリル、ポリカーボネートなどの合成樹脂等の透明度の高い材料を用いて薄板状に形成されており、ベゼル部材２０の開口２０ａを塞いでいる。透明カバー６０は、車両Ｖの前方側から後方側に向かうにしたがって上方に向かうように配置されている（図３）。これにより、透明カバー６０に当たった光が乗員のアイポイントに直接向かうことを抑制できる。
【００３８】
ここで、本実施形態では、ベゼル部材２０と透明カバー６０とが一体に設けられている。そして、ベゼル部材２０と透明カバー６０とは、２種類の樹脂を１つの型に流し込んで成形を行う二色成形で一体に形成されている、又は、異なる樹脂で成形された２つの部材を加熱等により接合部を溶かして一体化する溶着で一体に取り付けられている。これら２種類の手法のうち何れの手法が用いられるかここでは特定しないが、ベゼル部材２０と透明カバー６０との一体形成には何れの手法も採用し得る。
【００３９】
本実施形態では、車両用表示装置１のインストルメントパネルＩにおけるフロントガラスＦとの対向壁Ａへの組付けが図５に示すように行われる。即ち、インストルメントパネルＩの対向壁Ａには、ベゼル部材２０を嵌め込むための開口Ｉａが形成されており、まず、この開口Ｉａに、上記のように透明カバー６０が一体に設けられたベゼル部材２０が、矢印Ｄ１が示すように上方から嵌め込まれる。
【００４０】
そして、導光部材３０と、支持部材４０と、採光窓部材５０と、画像投影機１０との構築物が、ベゼル部材２０嵌込み後の対向壁Ａに、矢印Ｄ２が示すように下方から組み付けられる。ここで、本実施形態では、画像投影機１０における投影口１３ｄ（図４）の縁に、全周にわたって緩衝材１４が設けられる。そして、上記構築物の対向壁Ａへの組付けは、緩衝材１４がベゼル部材２０の開口２０ａの縁に押し付けられて、ベゼル部材２０の開口２０ａと画像投影機１０の投影口１３ｄとが上下方向に重なるように行われる。この緩衝材１４を介した押付けにより、画像投影機１０の投影口１３ｄが、透明カバー６０で開口２０を塞がれたベゼル部材２０によって塞がれて密封される。
【００４１】
このような車両用表示装置１によってフロントガラスＦに投影される投影画像について、図６にその一例が模式的に示されている。この車両用表示装置１では、ベゼル部材２０と透明カバー６０とが一体に設けられており、両者間に間隙が生じることがない。このため、ベゼル部材２０の開口２０ａの縁が透明カバー６０上に影を落とすこと等がなく、上述した筋状の暗い映り込みを生じさせるような、周囲に比べて暗い箇所の発生が抑えられる。その結果、投影画像Ｇ１−１の周囲では、そのような筋状の暗い映り込みが抑えられる。投影画像Ｇ１−１の周囲には、導光部材３０の照射によって明暗差が緩和されたベゼル部材２０とインストルメントパネルＩとの境界線等の映込み像Ｇ１−２がない、又は目立たない程度に薄く映り込むのみとなる。
【００４２】
ここで、本実施形態の車両用表示装置１では、ベゼル部材２０の開口２０ａと重ねて画像投影機１０の投影口１３ｄが配置されるまでは、その投影口１３ｄを内側から塞ぐように組付け前保護シート１７が筐体１３内に配置されている。筐体１３には、この組付け前保護シート１７の引抜き口１３ｅが形成されている。引抜き口１３ｅは、組付け前保護シート１７の幅よりも若干長く延びたスリットである。
【００４３】
図７に示すように、組付け前保護シート１７は概ね長方形状の柔軟性シートからなり、引抜き口１３ｅからの引抜き方向Ｄ３の前方側の端縁に、引抜き時に作業者に把持される把持部１７ａが設けられている。組付け前保護シート１７は、この把持部１７ａが、延出部分として引抜き口１３ｅから延出された状態で筐体１３内に配置される。そして、組付け前保護シート１７は、この把持部１７ａを引っ張ることにより引抜き口１３ｅから引抜き方向Ｄ３に引抜き可能に設けられる。
【００４４】
尚、本実施形態では、本発明にいう組付け前保護シートの一例として、柔軟性シートからなる組付け前保護シート１７が例示されている。しかしながら、本発明にいう組付け前保護シートはこれに限るものではなく、投影口１３ｄを内側から塞げるものであれば、例えばある程度の厚みを有する板からなるものであってもよい。
【００４５】
図８には、車両用表示装置１における組付け前保護シート１７の保持構造が、図７におけるＶ１−Ｖ１断面図によって示されている。この図８に示すように、筐体１３の四周を囲む周壁部１３ｃのうち、引抜き方向Ｄ３に延在する対向一対の周壁部１３ｃの内面には、引抜き方向Ｄ３に沿って延びる溝１３ｆが形成されている。組付け前保護シート１７は、引抜き方向Ｄ３に沿う両端縁がこの溝１３ｆに嵌め込まれることで、筐体１３内において、緩衝材１４が縁に設けられた投影口１３ｄを内側から塞ぐように保持される。
【００４６】
そして、図５に示されているよう、画像投影機１０を、透明カバー６０で開口２０ａが塞がれたベゼル部材２０によって投影口１３ｄが塞がれるとともに投影口１３ｄが開口２０ａに重なるようにインストルメントパネルＩ内に配置する配置過程が行われる。その後、引抜き口１３ｅから把持部１７ａを引っ張ることにより引抜き口１３ｅから組付け前保護シート１７を引抜き方向Ｄ３に引き抜く引抜き過程が行われる。
【００４７】
ここで、筐体１３の引抜き口１３ｅには、組付け前保護シート１７の引抜きを妨げず、且つ、組付け前保護シート１７の引抜きの後には引抜き口１３ｅを塞いで引抜き口１３ｅからの異物の侵入を抑制する次のような防塵部材が設けられている。図９には、この防塵部材の一例としてのブラシ１３ｇが示されている。図９（ａ）には、組付け前保護シート１７の引抜き前のブラシ１３ｇが示され、図９（ｂ）には、引抜き後のブラシ１３ｇが示されている。
【００４８】
引抜き口１３ｅは、水平方向（略水平方向を含む）に向いて開口し、長方形状の組付け前保護シート１７の幅方向に、その幅より若干長く延在するスリット状に形成されている。そして、この引抜き口１３ｅにブラシ１３ｇが植毛されている。具体的には、引抜き口１３ｅの上下の縁部１３ｅ−１，１３ｅ−２に、組付け前保護シート１７を幅方向全体にわたって厚み方向に挟むように、引抜き口１３ｅの全長にわたってブラシ１３ｇが植毛されている。組付け前保護シート１７の引抜き前には、図９（ａ）に示すように、各縁部１３ｅ−１，１３ｅ−２に植毛されたブラシ１３ｇはその先端部が組付け前保護シート１７の表裏各面に押し付けられて撓った状態となっている。そして、組付け前保護シート１７が引き抜かれると、図９（ｂ）に示すように、撓っていたブラシ１３ｇが、引抜き口１３ｅの外側から見て先端どうしが重なるように延びて引抜き口１３ｅを塞ぐようになっている。
【００４９】
尚、引抜き口１３ｅに設けられる防塵部材はこのようなブラシ１３ｇに限るものではなく、次のような別例であってもよい。図１０には、この防塵部材の別例としての凸条リップ１３ｈが示されている。図１０（ａ）には、組付け前保護シート１７の引抜き前の凸条リップ１３ｈが示され、図１０（ｂ）には、引抜き後の凸条リップ１３ｈが示されている。
【００５０】
凸条リップ１３ｈは、ゴム等の弾性部材で形成され、組付け前保護シート１７を幅方向全体にわたって厚み方向に挟むように引抜き口１３ｅに互いに対向して一対設けられている。これら一対の凸条リップ１３ｈは、引抜き口１３ｅの上下の縁部１３ｅ−１，１３ｅ−２に互いに対向して設けられている。各凸条リップ１３ｈは、引抜き口１３ｅの全長にわたって延在している。組付け前保護シート１７の引抜き前には、図１０（ａ）に示すように、各凸条リップ１３ｈはその先端部が組付け前保護シート１７の表裏各面に押し付けられて撓って潰れた状態となっている。そして、組付け前保護シート１７が引き抜かれると、図１０（ｂ）に示すように、撓って潰れていた凸条リップ１３ｈが延びて先端どうしが密着し、引抜き口１３ｅを塞ぐようになっている。
【００５１】
また、図１１には、この防塵部材のさらなる別例としての防塵シート１３ｉが示されている。図１１（ａ）には、組付け前保護シート１７の引抜き前の防塵シート１３ｉが示され、図１１（ｂ）には、引抜き後の防塵シート１３ｉが示されている。
【００５２】
防塵シート１３ｉは、柔軟シート材で形成されている。そして、引抜き口１３ｅの上側の縁部１３ｅ−１乃至その近傍に一端縁が固定されている。具体的には、引抜き口１３ｅの上側の縁部１３ｅ−１の、筐体１３内側に一端縁が固定されている。この防塵シート１３ｉの他端縁は自由端とされている。また、防塵シート１３ｉは、両端縁間の長さが、引抜き口１３ｅの上側の縁部１３ｅ−１の筐体１３内側の箇所から、下側の縁部１３ｅ−２の筐体１３外側の箇所までの長さよりも長い。組付け前保護シート１７の引抜き前には、図１１（ａ）に示すように、防塵シート１３ｉは、その自由端が組付け前保護シート１７の上面に接した状態で引抜き口１３ｅの外へと引き出されている。そして、組付け前保護シート１７が引き抜かれると、図１１（ｂ）に示すように、防塵シート１３ｉの自由端が引抜き口１３ｅの下方まで垂れ下がって引抜き口１３ｅを塞ぐようになっている。
【００５３】
次に、本実施形態の車両用表示装置１の作用の一例について説明する。
【００５４】
図５を参照して説明したように、透明カバー６０で塞がれたベゼル部材２０の開口２０ａに投影口１３ｄが重なるようにベゼル部材２０に組み付けられるまでは、画像投影機１０には投影口１３ｄを内側から塞ぐ組付け前保護シート１７が内蔵されている。そして、この配置後に、組付け前保護シート１７がその把持部１７ａを引っ張ることにより引抜き口１３ｅから引き抜かれる。この組付け前保護シート１７により、組付け前においても画像投影機１０の防塵性が確保される。また、この組付け前保護シート１７は組付け後には引き抜かれるので、この組付け前保護シート１７が、投影口１３ｄにおける投影光の透過性を低下させることなることもない。このように、本実施形態によれば、組付け前においても、画像投影機１０の防塵性を確保することができる。
【００５５】
また、本実施形態によれば、引抜き口１３ｅには、組付け前保護シート１７の引抜きを妨げず、且つ、組付け前保護シート１７が引き抜かれた後の引抜き口１３ｅからの異物の侵入を抑制する防塵部材が設けられていることから、この引抜き口１３ｅについても防塵性を確保することができる。そして、ここでは特定しないが、この防塵部材としては、上述したブラシ１３ｇ、凸条リップ１３ｈ、及び防塵シート１３ｉのいずれも採用可能である。
【００５６】
防塵部材として採用可能な上記のブラシ１３ｇは、柔軟性を有していることから、組付け前保護シート１７の引抜きが妨げられることがない。即ち、このブラシ１３ｇによれば、組付け前保護シート１７の引抜き性及び防塵性を両立させることができる。
【００５７】
また、防塵部材として採用可能な上記の凸条リップ１３ｈも、柔軟性を有していることから、組付け前保護シート１７の引抜きが妨げられることがない。即ち、この凸条リップ１３ｈによっても、組付け前保護シート１７の引抜き性及び防塵性を両立させることができる。
【００５８】
また、防塵部材として採用可能な上記の防塵シート１３ｉは、一端縁が自由端とされて柔軟性を有していることから、組付け前保護シート１７の引抜きが妨げられることがない。即ち、この防塵シートによっても、組付け前保護シートの引抜き性及び防塵性を両立させることができる。
【００５９】
次に、本発明の第２実施形態について説明する。尚、この第２実施形態は、インストルメントパネルＩが上述したベゼル部材２０の役割も兼ねており、画像投影機１０がインストルメントパネルＩに直接組み付けられる点を除いて、第１実施形態と同等なものとなっている。そこで、以下では、第２実施形態について、第１実施形態との相違点に注目し、図１２及び図１３を参照して説明を行う。
【００６０】
図１２には、本発明の第２実施形態にかかるインストルメントパネルが模式的に示されている。尚、この図１２では、図５に示されている第１実施形態にかかる構成要素と同等な構成要素には図５と同じ符号が付されており、以下では、それら同等な構成要素についての重複説明を省略する。
【００６１】
上述したように本実施形態のインストルメントパネルＩは、上述した第１実施形態におけるベゼル部材２０を兼ねている。そして、本実施形態の車両用表示装置２は、第１実施形態の車両用表示装置１からベゼル部材２０と透明カバー６０を除いたものとなっている。
【００６２】
本実施形態では、フロントガラスＦとの対向壁Ａに、画像投影機１０がフロントガラスＦに画像を投影するための開口Ｉａが設けられている。そして、この開口Ｉａを塞ぐ透明カバー６０が、インストルメントパネルＩの対向壁Ａに一体に設けられている。この対向壁Ａと透明カバー６０とは、上述した二色成形二色成形で一体に形成されている、又は溶着で一体に取り付けられている。ここでは特定しないが、対向壁Ａと透明カバー６０との一体形成には何れの手法も採用し得る。
【００６３】
本実施形態の車両用表示装置２では、導光部材３０と、支持部材４０と、採光窓部材５０と、画像投影機１０との構築物が、インストルメントパネルＩの対向壁Ａに、矢印Ｄ４が示すように下方から組み付けられる。この組付けは、緩衝材１４が対向壁Ａの開口Ｉａの縁に押し付けられて、この開口Ｉａと画像投影機１０の投影口１３ｄとが上下方向に重なるように行われる。この緩衝材１４を介した押付けにより、画像投影機１０の投影口１３ｄが、透明カバー６０で開口Ｉａを塞がれたインストルメントパネルＩによって塞がれて密封される。その後、組付け前保護シート１７が、把持部１７ａを引っ張ることにより引き抜かれる。
【００６４】
このように、本実施形態の車両用表示装置２では、まず、画像投影機１０を、透明カバー６０で開口Ｉａが塞がれたインストルメントパネルＩによって投影口１３ｄが塞がれるとともに投影口１３ｄが開口Ｉａに重なるようにインストルメントパネルＩ内に配置する配置過程が行われる。その後、把持部１７ａを引っ張ることにより引抜き口１３ｅから組付け前保護シート１７を引き抜く引抜き過程が行われる。
【００６５】
図１３には、図１２のインストルメントパネルＩの開口ＩａからフロントガラスＦに投影される投影画像が模式的に示されている。このインストルメントパネルＩでは、対向壁Ａと透明カバー６０とが一体に設けられており、両者間に間隙が生じることがない。このため、対向壁Ａの開口Ｉａの縁が透明カバー６０上に影を落とすこと等がなく、上述した筋状の暗い映り込みを生じさせるような、周囲に比べて暗い箇所の発生が抑えられる。その結果、投影画像Ｇ２−１の周囲では、そのような暗い筋状の映り込みが抑えられる。さらに、このインストルメントパネルＩは、上述した第１実施形態におけるベゼル部材２０を兼ねていることから、ベゼル部材２０とインストルメントパネルＩとの境界線等の映込みもなく、投影画像Ｇ２−１の視認性が一層向上している。
【００６６】
以上に説明した第２実施形態によっても、上述した第１実施形態と同様に、組付け前においても画像投影機１０の防塵性が確保されることはいうまでもない。また、この第２実施形態においても、組付け前保護シート１７の引抜き口１３ｅの防塵部材として、図９に示されているブラシ１３ｇ、図１０に示されている凸条リップ１３ｈ、及び図１１に示されている防塵シート１３ｉのいずれも採用可能となっている。
【００６７】
以上、本発明について、好ましい実施形態を挙げて説明したが、本発明の画像投影機、車両表示装置、及び画像投影機の組付け方法は、上記実施形態の構成に限定されるものではない。
【００６８】
上述した実施形態において、導光部材３０が、画像投影機１０と一体となった支持部材４０によって支持され、導光部材３０が画像投影機１０と一緒にインストルメントパネルやベゼル部材に組み付けられる構成であったがこれに限定されるものではない。例えば、導光部材３０を支持する部材がインストメントパネルやベゼル部材に設けられ、導光部材３０の組付け済みのインストメントパネルやベゼル部材に、画像投影機１０が組み付けられる構成等としてもよい。
【００６９】
尚、前述した実施形態は本発明の代表的な形態を示したに過ぎず、本発明は、実施形態に限定されるものではない。即ち、本発明の骨子を逸脱しない範囲で種々変形して実施することができる。かかる変形によってもなお本発明の画像投影機、車両表示装置、及び画像投影機の組付け方法の構成を具備する限り、勿論、本発明の範疇に含まれるものである。
【符号の説明】
【００７０】
１，２      車両用表示装置
１０        画像投影機
１３        筐体（ケースの一例）
１３ｄ      投影口
１３ｅ      引抜き口
１３ｅ−１  一対の縁
１３ｇ      ブラシ
１３ｈ      凸条リップ
１３ｉ      防塵シート
１５        ベゼル体
１７        組付け前保護シート
１７ａ      把持部（延出部分の一例）
２０        ベゼル部材
２０ａ，Ｉａ      開口
２１        前方ベゼル部分
２２        下降壁部
３０        導光部材
３０ａ      入光面
４０        支持部材
５０        採光窓部材
６０        カバー
Ｉ          インストルメントパネル
Ａ          対向壁
Ｆ          フロントガラス
Ｋ          収容空間
Ｓ          隙間
Ｖ          車両
【図１】
0006284234.tif 000002
【図２】
0006284234.tif 000003
【図３】
0006284234.tif 000004
【図４】
0006284234.tif 000005
【図５】
0006284234.tif 000006
【図６】
0006284234.tif 000007
【図７】
0006284234.tif 000008
【図８】
0006284234.tif 000009
【図９】
0006284234.tif 000010
【図１０】
0006284234.tif 000011
【図１１】
0006284234.tif 000012
【図１２】
0006284234.tif 000013
【図１３】
0006284234.tif 000014
【図１４】
0006284234.tif 000015
【図１５】
0006284234.tif 000016